(57)【要約】【課題】煙、ガス等を発生せずに短時間に多量の薬剤を蒸散できる加熱式薬剤蒸散装置とする。【解決手段】本体１０に発熱体１１と蒸散体載置部１２と熱気流助長手段１３を設けた装置本体１と、シートを折り畳み、又はまるめたシート材２１に薬剤を含浸して保持した薬剤保持体２０と固定具３０を有する蒸散用薬剤蒸散体２を備え、その発熱体１１から発生した熱気流を熱気流助長手段１３で増速することで、その熱気流を薬剤保持体２０の表面の全部に沿って高速で上昇させ、短時間に多量の薬剤を蒸散させる。【選択図】図１
2006006184.tif 000002
【特許請求の範囲】
【請求項１】
本体１０に、発熱体１１と蒸散体載置部１２と熱気流助長手段１３を設けた装置本体１と、
通気性を有するシートを折り畳み、又はまるめたシート材２１に薬剤を含浸して保持した薬剤保持体２０と固定具３０を有する蒸散用薬剤蒸散体２を備え、
前記発熱体１１は通電することで発熱して熱気流を発生し、
前記蒸散体載置部１２は発熱体１１の周囲に設けてあり、
前記熱気流助長手段１３は、発熱体１１の発熱により発生した熱気流の上昇速度を増速し、
前記固定具３０は薬剤保持体２０を支持し、かつ前記蒸散体載置部１２に載置することで、熱気流が薬剤保持体２０の表面に沿って上昇するようにしたことを特徴とする加熱式薬剤蒸散装置。
【請求項２】
前記熱気流助長手段１３は、送風機１３ａを備え、その送風機１３ａの吐出空気を発熱体１１の表面と薬剤保持体２０の裏面との間に吐出するものとした請求項１記載の加熱式薬剤蒸散装置。
【請求項３】
前記熱気流助長手段１３は、送風機１３ａを備え、この送風機１３ａは発熱体１１の表面と薬剤保持体２０の裏面との間及び薬剤保持体２０を通して空気を吸い込むものとした請求項１記載の加熱式薬剤蒸散装置。
【発明の詳細な説明】
【技術分野】
【０００１】
本発明は、室内における衛生害虫、例えば蚊、ハエ、ゴキブリなどを駆除するべく、薬剤を短時間に多量に蒸散する加熱式薬剤蒸散装置に関する。
【背景技術】
【０００２】
従来より薬剤を短時間に多量に蒸散するものとしては、薬剤を燃焼剤と混合して燃焼剤の燃焼熱と発煙により薬剤を蒸散させるもの、薬剤を有機発泡剤と混合した混合物を加熱し、該発泡剤を熱分解させ、該熱分解ガスにより薬剤を蒸散させるもの、薬剤を噴射剤と共に耐圧容器に充填し、噴射剤の圧力により噴出させるエアゾールのものが知られている。
これらのものは、煙、分解ガス、噴射ガスが大気中に発散され、環境が汚染されて安全かつ衛生的でない。又、一回きりの使い捨て商品であり、昨今のゴミ問題や省資源など社会状況から好ましくない。
【０００３】
一方、煙、ガス等を発生せずに薬剤を蒸散すると共に、薬剤の取り替えが可能なものが種々提案されている。
例えば、特許文献１には、多数の揮散孔を有する板状の多孔質材を素材とした担体に薬剤を含浸して保持した燻蒸マットを、ヒータ伝熱や熱気流で加熱することで、薬剤を早く蒸散させるものが開示されている
また、特許文献２には、害虫駆除剤を含浸したリング状の燻蒸マットをヒータ体に嵌着し、その燻蒸マットをヒータ体で加熱すると共に、ヒータ体の発熱で生じた熱気流によって加熱して上昇することで、薬剤を急速に蒸散させるものが開示されている。
【０００４】
【特許文献１】実開昭５４−１２９５７２号公報
【特許文献２】実開昭５４−１４５６７１号公報
【発明の開示】
【発明が解決しようとする課題】
【０００５】
前記特許文献１に開示されたものは、煙、ガス等を発生せずに薬剤を蒸散できると共に、薬剤の取り替えが可能であるが、燻蒸マット内の薬剤含浸面が少なく、多量の薬剤を保持するには燻蒸マットを厚肉にしなければならない。
しかし、燻蒸マットを厚肉とするに従って薬剤の蒸散が著しく低下する。
このために、特許文献１に開示されたものでは、短時間に多量の薬剤を蒸散できない。
【０００６】
前記特許文献２に開示されたものは、煙、ガス等を発生せずに薬剤を蒸散できると共に、薬剤の取り替えが可能である。
しかしながら、多量の薬剤を保持するには燻蒸マットを厚肉にしなければならないし、前記ヒータ体の発熱で生じた熱気流は蒸散した薬剤を上昇することができるが、その熱気流は燻蒸マット内部の薬剤の蒸散には効果が少ない。
このために、特許文献２に開示されたものでは、短時間に多量の薬剤を蒸散できない。
【０００７】
本発明の目的は、煙、ガスを発生せずに短時間に多量の薬剤を蒸散できると共に、薬剤の取り替えができる加熱式薬剤蒸散装置を提供することである。
【課題を解決するための手段】
【０００８】
第１の発明は、本体１０に、発熱体１１と蒸散体載置部１２と熱気流助長手段１３を設けた装置本体１と、
通気性を有するシートを折り畳み、又はまるめたシート材２１に薬剤を含浸して保持した薬剤保持体２０と固定具３０を有する蒸散用薬剤蒸散体２を備え、
前記発熱体１１は通電することで発熱して熱気流を発生し、
前記蒸散体載置部１２は発熱体１１の周囲に設けてあり、
前記熱気流助長手段１３は、発熱体１１の発熱により発生した熱気流の上昇速度を増速し、
前記固定具３０は薬剤保持体２０を支持し、かつ前記蒸散体載置部１２に載置することで、熱気流が薬剤保持体２０の表面に沿って上昇するようにしたことを特徴とする加熱式薬剤蒸散装置である。
【０００９】
第１の発明における薬剤保持体２０は、通気性を有するシートを所定の折り幅で山折りと谷折りを交互に繰り返して多数折り畳んだほぼ波形状のシート材２１に、薬剤を含浸して保持したものが好ましい。
また、前述の薬剤保持体２０は、通気性を有するシートを所定の折り幅で山折りと谷折りを交互に繰り返して多数折り畳んだ中央空洞部２２と複数の半径方向に向かう空洞部２３を有するほぼ花びら形状のシート材２１に、薬剤を含浸して保持したものが好ましい。
【００１０】
第１の発明における固定具３０は、薬剤保持体２０が収納される上下面が開口した筒形状であることが好ましい。
さらに、その固定具３０の下端部を蒸散体載置部１２を載置することで薬剤保持体２０の下面２０ａと発熱体１１の上面１１ａが対向することが好ましい。
【００１１】
第２の発明は、第１の発明において、前記熱気流助長手段１３は、送風機１３ａを備え、その送風機１３ａの吐出空気を発熱体１１の表面と薬剤保持体２０の裏面との間に吐出するものとした加熱式薬剤蒸散装置である。
【００１２】
第３の発明は、第１の発明において、前記熱気流助長手段１３は、送風機１３ａを備え、この送風機１３ａは発熱体１１の表面と薬剤保持体２０の裏面との間及び薬剤保持体２０を通して空気を吸い込むものとした加熱式薬剤蒸散装置である。
【発明の効果】
【００１３】
請求項１に係る発明によれば、薬剤保持体２０の表面の全部に亘って熱気流が上昇することで薬剤保持体２０の表面の全部が加熱されて薬剤を蒸散し、その蒸散した薬剤が熱気流とともに上昇して大気に放散されるから、煙やガスが発生することがない。
また、薬剤保持体２０のシート材２１は折り畳み又はまるめたものであるから、単位体積当たりの表面積が多く、しかも発熱体１１の発熱で発生した熱気流の上昇温度が熱気流助長手段１３で増速されて薬剤保持体２０の表面の全部に沿って高速で上昇するから、短時間に多量の薬剤を蒸散できる。
また、薬剤保持体２０の薬剤を全て蒸散したら、新しい薬剤保持体２０を備えた蒸散用薬剤蒸散体２と交替して薬剤の取り替えができる。
【００１４】
さらに、薬剤保持体２０は固定具３０で支持してあるから、その固定具３０を手で持って取り扱うことができ、その蒸散用薬剤蒸散体２の取り扱いが容易であるし、取り扱い時に手に薬剤が付着して汚すこともない。
【００１５】
第２の発明によれば、送風機１３ａの吐出空気を利用して熱気流の上昇速度を増速できる。
また、送風機１３ａの吐出空気は発熱体１１の表面と薬剤保持体２０の裏面との間に吐出されるから、その吐出空気が発熱体１１に直接吹きつけられることがなく、送風機１３ａの吐出空気で発熱体１１が冷却されて発熱温度が低下することがない。
【００１６】
第３の発明によれば、送風機１３ａの吸込み空気を利用して熱気流の上昇速度を増速できる。
また、送風機１３ａの吸込み空気は発熱体１１の表面と薬剤保持体２０の裏面との間を通して吸い込みされるから、その吸込み空気が発熱体１１に沿って流れることがなく、送風機１３ａの吸込み空気によって発熱体が冷却されて発熱温度が低下することがない。
【発明を実施するための最良の形態】
【００１７】
本発明の加熱式薬剤蒸散装置の第１の実施の形態を図１に基づいて説明する。
装置本体１と蒸散用薬剤蒸散体２で加熱式薬剤蒸散装置を構成している。
前記装置本体１は、本体１０に発熱体１１と、発熱体１１周囲の蒸散体載置部１２と、熱気流助長手段１３を設けたものである。
前記本体１０は底面板１４と周面板１５と上面板１６で空洞部１０ａを有する容器形状で、その上面板１６に支持片１７が設けられ、この支持片１７に接するように発熱体１１が設けられる。
前記発熱体１１は通電することで発熱して熱気流を発生するもので、その発熱体１１には本体１０内に設けた図示しない電池や、商用電源から通電される。
前記蒸散体載置部１２は、上面板１６の支持片１７よりも上方位置に形成してある。
【００１８】
前記熱気流助長手段１３は、発熱体１１の発熱により発生した熱気流の上昇速度を増速するものである。つまり、発熱体１１の発熱温度によって熱気流の上昇速度が決まるが、その発熱体１１の発熱温度には限度があるので、熱気流助長手段１３を設けて熱気流の上昇速度を速くしている。
例えば、送風機１３ａを駆動することで吸込孔１３ｂから本体１０の空洞部１０ａ内に外気を吸い込み、その吸い込んだ空気を吐出孔１３ｃで発熱体１１の上方に吐出、好ましくは斜め上向きに吐出して上昇気流を発生させ、熱気流の上昇速度を速くする。
【００１９】
図１に示す実施の形態では、底面板１４に送風機１３ａを設置して上面板１６に向けて空気を吐出するようにし、その上面板１６を下向き半球形状として外周縁に向けて空気が流れるようにする。前記底面板１４は周面板１５に着脱可能に取付けてある。
前記上面板１６の上部寄りに複数の吐出孔１３ｃを周方向に間隔を置いて斜め上向きに形成して熱気流助長手段１３としている。
【００２０】
このようであるから、装置本体１は発熱体１１が発熱することで蒸散体載置部１２で囲まれた部分に熱気流、つまり温度の高い空気の流れが発生し、送風機１３ａを駆動することで前述の熱気流が増速される。
【００２１】
前記蒸散用薬剤蒸散体２は、薬剤保持体２０と固定具３０を備えている。
その薬剤保持体２０は、通気性を有するシートを折り畳み又はまるめたシート材２１に薬剤を含浸して保持した形状である。
例えば、図２と図３に示すようにシートを所定の折り幅で山折り、谷折りを交互に繰り返してほぼ波形状に折り畳んだシート材２１に薬剤を含浸して保持してある。
前記固定具３０は上下面が開口したほぼ筒形状で、この固定具３０内に薬剤保持体２０を挿入して保持する。
【００２２】
例えば、図２と図３に示すように支持部材３１と押え部材３２で固定具３０としてある。そして支持部材３１は支持枠３３の内面に支持片３４を設けたもので、押え部材３２は支持枠３３内に嵌合する枠形状である。
そして、薬剤保持体２０を折り畳み方向に押しつけて支持枠３３内に押し込み、支持片３４に接する。
最後に、押え部材３２を支持枠３３の上部に嵌合して薬剤保持体２０の上面に接して保持する。
【００２３】
そして、固定具３０を前記蒸散体載置部１２に載置することで、薬剤保持体２０が発熱体１１の表面、例えば上面１１ａと対向し、前述の熱気流が薬剤保持体２０に向けて上昇する。
例えば、支持枠３３の下端面を蒸散体載置部１２に接して取付けることで、薬剤保持体２０の裏面、例えば下面２０ａが発熱体１１の上面１１ａと間隔を置いて対向し、前述の吐出孔１３ｃは薬剤保持体２０の下面２０ａと発熱体１１の上面１１ａとの間の空間部に開口し、送風機１３ａの吐出空気を発熱体１１の上面１１ａと薬剤保持体２０の下面２０ａとの間の空間部に吐出する。
【００２４】
このようであるから、前述の熱気流は、薬剤保持体２０の内部を若干は流通するが、ほとんどは薬剤保持体２０の表面の全部に沿って上昇し、それによって熱気流の熱で薬剤保持体２０の表面の全部を加熱して薬剤を蒸散すると共に、煙やガス等が発生しない。
しかも、熱気流は送風機１３ａの吐出空気で増速されて高速であるから短い時間で多量の熱気流が薬剤保持体２０の表面に沿って流れ、短時間に多量の薬剤が蒸散する。
【００２５】
図１に示す場合には、発熱体１１の発熱によって発生した熱気流は薬剤保持体２０に向けて上昇すると共に、吐出孔１３ｃから吐出した空気が薬剤保持体２０に向けて流れ、この空気の流れで熱気流が増速されるから、熱気流は高速（つまり、発熱体１１の発熱速度によって決定される速度よりも速い速度）で薬剤保持体２０（シート材２１）の表面の全部に沿って流れる。
また、送風機１３ａの吐出空気が発熱体１１に吹きつけられることがないので、その吐出空気で発熱体１１が冷却されて発熱温度が低下することがない。
【００２６】
次に、本発明の加熱式薬剤蒸散装置の第２の実施の形態を説明する。この実施の形態は蒸散用薬剤蒸散体２の形態が相違し、装置本体１は同一である。
図４、図５に示すように、通気性を有するシートを所定の折り幅で山折り、谷折りを交互に繰り返してひだ形状で、かつほぼ花びら状の筒形状に折り畳んだシート材２１とし、そのシート材２１に薬剤を含浸して保持することでほぼ花びら状の筒形状の薬剤保持体２０とする。
そして、その薬剤保持体２０をほぼ筒形状の固定具３０内に嵌め込んで支持する。例えば支持枠３３内に挿入して支持片３４に接し、押え部材３２を取付けて支持することで、ほぼ筒形状の薬剤保持体２０の軸方向（つまり、折り線に沿った方向）に熱気流が流れるようにする。
【００２７】
前記薬剤保持体２０を具体的に説明すると、シート材２１は中央空洞部２２と多数の半径方向に向かう空洞部２３を有する花びら状の筒形状である。
前記固定具３０の押え部材３２、支持片３４は、外周リング部３２ａ，３４ａと中央リング部３２ｂ，３４ｂを複数の杆体３２ｃ，３４ｃで連結した形状である。
そして、シート材２１の中央空洞部２２に中央リング部３４ｂ，３２ｂが嵌合するように取付けられる。
【００２８】
前述のように薬剤保持体２０が中央空洞部２２と多数の半径方向に向かう空洞部２３を有するほぼ花びら状の筒形状とした場合には、その中央空洞部２２の径が小さければ熱気流の熱を薬剤保持体２０の加熱として有効利用できるが、前述の中央空洞部２２の径が大きい場合には、その中央空洞部２２を上昇する熱気流の熱が薬剤保持体２０の加熱に利用され難く、その熱気流が無駄となり、好ましくない。
【００２９】
このことを解消するには、中央空洞部２２と対向した部分に熱気流が発生せずに他の空洞部２３と対向した部分に熱気流が発生する発熱体１１を用いれば良い。
例えば、発熱体１１を中央部に穴を有する環状とし、その穴が中央空洞部２２と対向するようにする。
または、中央リング部３４ｂを板状として熱気流が流れないようにする。
【００３０】
次に、本発明の加熱式薬剤蒸散装置の第３の実施の形態を説明する。この実施の形態は蒸散用薬剤蒸散体２の形態が相違し、装置本体１は同一である。
図６、図７に示すように、前記蒸散用薬剤蒸散体２の薬剤保持体２０は、通気性を有するシートをまるめたシート材２１に薬剤を含浸して保持したほぼ円柱形状である。
前記蒸散用薬剤蒸散体２の固定具３０は、支持枠３３に支持片３４を設けた支持部材３１と、その支持枠３３に嵌合して取付けられる押え部材３２を備えている。
そして、支持片３４と押え部材３２は、外周リング部３４ａ，３２ａと放射状の複数の杆体３４ｃ，３２ｃを有している。
【００３１】
この場合には、まるめたシート材２１が渦巻状となり、そのシート材２１の巻き始めから巻き終わりまでのシート材２１間に均一で渦巻状の隙間を有することが好ましく、このようにすることで渦巻状の隙間を熱気流が上昇することでシート材２１の表面の全部をほぼ均一に加熱することができる。
【００３２】
次に、本発明の加熱式薬剤蒸散装置の第４の実施の形態を説明する。この実施の形態は蒸散用薬剤蒸散体２の形態が相違し、装置本体１は同一である。
この実施の形態の蒸散用薬剤蒸散体２は図８に示すように、薬剤保持体２０の外周面２０ｂと固定具３０の内周面３０ａ（支持枠３３の内周面３３ａ）との間に、上下方向に連続した隙間２ａを形成し、この隙間２ａに熱気流が上昇することで薬剤保持体２０の外周面２０ｂを加熱できるようにしたものである。
【００３３】
具体的には、固定具３０は図９に示すように対向した一対の第１縦板３３ｂと対向した一対の第２縦板３３ｃを有する矩形状の支持枠３３を有し、その一対の第１縦板３３ｂの内面に一対の縦向突片３５と横向突片３６を上向きコ字状に設ける。
薬剤保持体２０は図２に示すシート材２１を有し、そのシート材２１の折り畳み方向の両側面を一対の縦向突片３５間に設けて一対の第２縦板３３ｃの内面との間に隙間を形成し、シート材２１の下面を横向突片３６に接して薬剤保持体２０を固定具３０内に取付ける。
【００３４】
次に、本発明の加熱式薬剤蒸散装置の第５の実施の形態を説明する。この実施の形態は装置本体１の実施の形態が相違し、蒸散用薬剤蒸散体２は同一である。
この実施の形態の装置本体１は熱気流助長手段１３の形態が前述の各実施の形態と相違する。
例えば図１０に示すように発熱体１１を上下面が開口した筒形状とし、その発熱体１１の内部に送風機１３ａを位置させる。
本体１０の上面板１６に開口部１３ｄを形成し、この開口部１３ｄの周囲に蒸散体載置部１２を形成する。
【００３５】
前述の構成とすることで、発熱体１１の発熱により発生した空気流は開口部１３ｄから上昇し、送風機１３ａによる空気流が開口部１３ｄから上向きに流れるので、その熱気流が空気流で増速されて薬剤保持体２０の表面の全部に沿って上昇することになる。
これによって、薬剤保持体２０の表面の全部が熱気流で短時間で高温に加熱されるから、短時間に多量の薬剤が蒸散する。
なお、この熱気流助長手段１３を備えた装置装置本体１には、前述の第２・第３・第４の実施の形態で示す蒸散用薬剤蒸散体を利用できることは勿論である。
【００３６】
次に、本発明の加熱式薬剤蒸散装置の第６の実施の形態を説明する。この実施の形態は装置本体１の実施の形態が相違し、蒸散用薬剤蒸散体２は同一である。
この実施の形態は、図１１に示すように送風機１３ａをシロッコファンを用いたものとし、本体１０の上部に、その蒸散体載置部１２と連続し蒸散用薬剤蒸散体２の上下寸法よりも深く、本体１０の上面に開口した蒸散用薬剤蒸散体２を取付ける凹陥部３を形成したものである。
具体的には、図１１に示すように、本体１０は送風機室１３ｅと、その外周側の環状空間１３ｆを有する。例えば、底面板１４の中央部と上面板１６の中央下部とで送風機室１３ｅを形成し、上面板１６と周面板１５との間に環状空間１３ｆを形成している。
前記送風機室１３ｅは底板１４の吸込孔１３ｂで大気に開口し、かつ出口１３ｇで環状空間１３ｆに開口していると共に、その送風機室１３ｅにシロッコファン１３ｈを設けて送風機１３ａとしてある。
そして、シロッコファン１３ｈを回転駆動することで吸込口１３ｂから空気を吸い込んで出口１３ｇから環状空間１３ｆに吐出し、その環状空間１３ｅ内の空気が吐出孔１３ｃから発熱体１１の上面１１ａと薬剤保持体２０の下面２０ａとの間に吐出される。
【００３７】
このように、シロッコファン１３ｈを用いることで小型軽量の送風機１３ａとすることができるし、多量の空気を吐出できるから、装置全体を小型コンパクトにできるし、熱気流をより速く増速することができる。
また、シロッコファン１３ｈを用いることで、ファン回転時に発生する音が小さい。
【００３８】
本体１０の上面板１６は蒸散体載置部１２よりも上方に突出した環状部４を有し、この環状部４で前述の凹陥部３を形成している。その凹陥部３内に蒸散用薬剤蒸散体２が挿入して取付けられて蒸散用薬剤蒸散体２よりも環状部４が上方に突出する。
このようにすることで、本体１０よりも上方部分に発生する外気流が薬剤保持体２０に作用し難くなり、蒸散した薬剤が外気流の流れの影響を受け難く、その蒸散薬剤の上昇を良好に行うことができる。
また、蒸散体載置部１２付近の保温性が向上するので、薬剤の蒸散を良好にできる。
また、凹陥部３の内周面における薬剤保持体２０よりも上方に突出した部分によって空気の上昇を促進し、蒸散薬剤をより上方に拡散することができる。
【００３９】
次に、本発明の加熱式薬剤蒸散装置の第７の実施の形態を説明する。この実施の形態は前述の第６の実施の形態とほぼ同様で、固定具３０の外周面に沿って空気が流れるようにしたことが前述の各実施の形態と相違し、他の構成はほぼ同一である。
図１２に示すように、上面板１６の上部寄りのテーパ状部１６ａに前述の吐出口１３ｃを周方向に間隔を置いて複数形成し、そのテーパ状部１６ａの上面に断面鉤形の切欠部１２ａを形成して前述の蒸散体載置部１２とする。
【００４０】
前記固定具３０の下端部外周縁を前述の蒸散体載置部１２（切欠部１２ａ）に嵌合するように載置して蒸散用薬剤蒸散体２を取付け、その固定具３０の外周面３０ｂと凹陥部３の内周面との間に隙間１３ｉを形成する。
前記吐出孔１３ｃは、前述のように発熱体１１の上面１１ａと薬剤保持体２０の下面２０ａとの間の空間部及び前述の隙間１３ｉにそれぞれ開口する。
【００４１】
このようにすることで、送風機１３ａの吐出空気の一部が固定具３０の外周面３０ｂに沿って外部に流れ、この空気の流れによって前述のように蒸散した薬剤をより上方に拡散することができる。
【００４２】
次に、本発明の加熱式薬剤蒸散装置の第８の実施の形態を説明する。この実施の形態は前述の第６の実施の形態とほぼ同様で、その第６の実施の形態における凹陥部３を浅くし、その凹陥部３の開口縁に導風用筒体５を着脱自在としたものである。
例えば、図１３に示すように本体１の上面板１６の上部外周縁（凹陥部３の開口縁）にリング状の突起６を一体的に設ける。
前記導風用筒体５は下部開口５ａが大径で上部開口５ｂが小径となるように上端に向けて順次小径な筒形状、この実施の形態ではほぼ半球状で、その下部開口５ａの周縁にリング状で断面鉤形の取付用突起７を有する形状である。
この取付用突起７を突起６に嵌合することで導風用筒体５が本体１０の上部に着脱自在に取付けられる。
【００４３】
このようであるから、導風用筒体５によって空気の流れがより一層促進され、蒸散薬剤をより上方に拡散できる。
また、導風用筒体５を取り外すことで凹陥部３内に蒸散用薬剤蒸散体２を挿入して取付けたり、取り出したりできるので、蒸散用薬剤蒸散体２を交換できる。
【００４４】
次に、本発明の加熱式薬剤蒸散装置の第９の実施の形態を説明する。この実施の形態は装置本体１の実施の形態が相違し、蒸散用薬剤蒸散体２は同一である。
図１４に示すように、熱気流助長手段１３を、その送風機１３ａを駆動することで、発熱体１１の表面、例えば一側面１１ｂと薬剤保持体２０の裏面、例えば他側面２０ｂとの間及び薬剤保持体２０を通して空気を吸い込むように構成した。
すなわち、蒸散用薬剤蒸散体２の一側方に送風機１３ａ、他側方に発熱体１１をそれぞれ取付け、その薬剤保持体２０の他側面２０ｂと発熱体１１の一側面１１ｂとの間の空間部を発熱体１１よりも外周に形成した吸気通路１８で外部に開口連通する。この吸気通路１８は環状空間１８ａと、その環状空間１８ａを外部に開口する第１孔１８ｂと、前記環状空間１８ａを前述の空間部に連通する第２孔１８ｃを備えている。
そして、送風機１３ａを駆動することで吸気通路１８、発熱体１１の一側面１１ｂと薬剤保持体２０の他側面２０ｂとの間を通して薬剤保持体２０を通過して空気を吸い込んで外部に排出するように構成する。
【００４５】
前述の具体形状の一例を説明する。
前記装置本体１の本体１０は、外側筒体１０ａと中間筒体１０ｂと内側筒体１０ｃと外側リング状端板１０ｄと中間リング状端板１０ｅと内側端板１０ｆで外側の環状空間１０ｇと内側の凹陥部１０ｈを有するほぼ二重壁形状の筒状体で、その環状空間１０ｇが前述の環状空間１８ａを形成している。
前記内側筒体１０ｃは短尺で、中間リング状端板１０ｅは長手方向の中間に位置し、その内側筒体１０ｃの開口端縁部に発熱体１１が取付けてある。
前記中間筒体１０ｂの長手方向一側寄りが他側寄りよりも大径で、かつ中間部がテーパ形状で、そのテーパ形状の中間部に前述の第２孔１８ｃが周方向に間隔を置いて複数形成してある。
前記中間筒体１０ｂの長手方向一側寄りに蒸散用薬剤蒸散体２（固定具３０）が嵌挿して取付けられてテーパ形状の中間部に当接している。つまり、テーパ形状の中間部が蒸散体載置部１２である。
前記外側リング状端板１０ｄに前述の第１孔１８ｂが周方向に間隔を置いて複数形成してある。
【００４６】
前記送風機１３ａは本体１０と別体である。例えば、送風機ハウジング４０内にシロッコファン４１とモータ４２を設け、その送風機ハウジング４０に入口４３と出口４４を形成してある。
そして、送風機ハウジング４０が前述の本体１０に着脱自在に取付けられる。
この実施の形態では、送風機ハウジング４０のリング状突起４５を、本体１０の外側筒体１０ａと中間筒体１０ｂとの間に嵌合して取付けてある。
このようであるから、送風機１３ａを取り外した状態で蒸散用薬剤蒸散体２を簡単に交換することができる。
【００４７】
次に、本発明の加熱式薬剤蒸散装置の第１０の実施の形態を説明する。この実施の形態は前述の第９の実施の形態において送風機１３ａが、前述の空間のみではなく、本体１０と固定具３０との間からも空気を吸い込むようにしたものである。
すなわち、図１５に示すように、本体１０の内側筒体１０ｂにおけるテーパ形状の中間部に固定具３０の端部外周縁を接して取付けることで、その中間部の中間部分が蒸散体載置部１２とし、かつ固定具３０の外周面３０ｂと内側筒体１０ｂの長手方向一側寄り部との間に隙間１３ｉを形成し、その隙間１３ｉを前述の第２孔１８ｃと入口４３に開口連通する。
【００４８】
前述の第９・第１０の実施の形態においては、蒸散用薬剤蒸散体２の一側方に送風機１３ａ、他側方に発熱体１１を設けて、熱気流が横方向に流れて蒸散用薬剤蒸散体２を通過するようにしたが、これに限ることはなく、蒸散用薬剤蒸散体２の上方に送風機１３ａ、下方に発熱体１１を設けて熱気流が上向きに流れて蒸散用薬剤蒸散体２を通過するようにしても良い。
【００４９】
本発明のシート材２１に用いるシートは、通気性を要求されるため、不織布や織編物等に加工してなる形態が好ましい。さらに、材質としては使用される薬剤に応じ、耐薬剤性を有することが望まれる。例えば、天然繊維としてパルプ、綿、羊毛、麻、絹等、合成繊維としてポリプロピレン、ポリエチレン、ポリアミド、ポリエチレンテレフタレート、ポリブチレンテレフタレート、ポリサルフォン、レーヨン、メタアクリル酸樹脂、ガラス繊維等が挙げられる。
【００５０】
前記シート材２１のシートとしては、薬液の保持性を確保するために、その厚さは０．０２ｍｍ〜１．０ｍｍの範囲が好ましい。
また、薬剤を蒸散（熱気流の流通性）させやすくするためには、シートの密度は０．０５〜１．０ｇ／ｃｍ３の範囲が好ましい。
【００５１】
また、シート材２１の折り幅については、折り畳み幅にも関係するので断定することができないが、一般的に１００ｍｍ以下、２ｍｍ以上である。
すなわち、熱気流を薬剤保持体の表面の全部に沿って上昇させる形態であるから、折り幅を短くすると蒸散用薬剤蒸散体の高さが増長していく傾向にあることから好ましいとは言えず、薬剤の含浸量及び薬剤保持体の面積に応じて決めることが望ましい。折り幅は、好ましくは１００ｍｍ以下、２０ｍｍ以上である。
【００５２】
前記固定具３０の材質としては、樹脂類（ポリエチレンテレフタレート、ポリプロピレン、ポリエチレン、ポリアセタール、ナイロン、アクリル、ＡＢＳ、ＡＳなど）合成紙、金属類などが挙げられる。
【００５３】
本発明に用いる薬剤としては、従来から用いられている加熱により蒸散する害虫防除剤（殺虫剤、忌避剤、昆虫成長制御剤、殺ダニ剤、防虫精油など）、芳香剤、消臭剤、除菌剤、殺菌剤、害獣忌避剤などが挙げられる。
また、前述の薬剤の内、殺虫剤はピレスロイド系殺虫剤、有機リン系殺虫剤、カーバメート系殺虫剤などがあり、安全性が高いことからピレスロイド系殺虫剤が好適に用いられ、例えばアレスリン、フラメトリン、プラレトリン、テラレスリン、トランスフルトリン、エムペントリン、メトフルトリン、プロフルトリン、ペルメトリン、フェノトリン、シフェノトリン、レスメトリン、天然ピレトリンなどが挙げられる。
【００５４】
前記薬剤に、溶解剤（脂肪酸エステル類、多価アルコール類など）、酸化防止剤（ジブチルヒドロキシトルエン、ジブチルハイドロキノンなど）、共力剤（ピペロニルブトキサイド、ＭＧＫ２６４など）、色素（アントラキノン系色素、メチン系色素など）、顔料、紫外線吸収剤、香料などを必要に応じて使用する。
【図面の簡単な説明】
【００５５】
【図１】本発明の加熱式薬剤蒸散装置の第１の実施の形態を示す断面図である。
【図２】蒸散用薬剤蒸散体の平面図である。
【図３】蒸散用薬剤蒸散体の分解斜視図である。
【図４】本発明の加熱式薬剤蒸散装置の第２の実施の形態を示す断面図である。
【図５】蒸散用薬剤蒸散体の分解斜視図である。
【図６】本発明の加熱式薬剤蒸散装置の第３の実施の形態を示す断面図である。
【図７】蒸散用薬剤蒸散体の分解斜視図である。
【図８】本発明の加熱式薬剤蒸散装置の第４の実施の形態を示す断面図である。
【図９】蒸散用薬剤蒸散体の分解斜視図である。
【図１０】本発明の加熱式薬剤蒸散装置の第５の実施の形態を示す断面図である。
【図１１】本発明の加熱式薬剤蒸散装置の第６の実施の形態を示す断面図である。
【図１２】本発明の加熱式薬剤蒸散装置の第７の実施の形態を示す断面図である。
【図１３】本発明の加熱式薬剤蒸散装置の第８の実施の形態を示す断面図である。
【図１４】本発明の加熱式薬剤蒸散装置の第９の実施の形態を示す断面図である。
【図１５】本発明の加熱式薬剤蒸散装置の第１０の実施の形態を示す断面図である。
【符号の説明】
【００５６】
１…装置本体、２…蒸散用薬剤蒸散体、２ａ…隙間、１０…本体、１１…発熱体、１２…蒸散体載置部、１３…熱気流助長手段、１３ａ…送風機、１３ｃ…吐出口、１３ｄ…開口部、１４…底面板、１５…周面板、１６…上面板、２０…薬剤保持体、２１…シート材、３０…固定具、３０ａ…内周面、３１…支持部材、３２…押え部材、３３…支持枠、３４…支持片、３５…縦向突起、３６…横向突起。
【図１】
2006006184.tif 000003
【図２】
2006006184.tif 000004
【図３】
2006006184.tif 000005
【図４】
2006006184.tif 000006
【図５】
2006006184.tif 000007
【図６】
2006006184.tif 000008
【図７】
2006006184.tif 000009
【図８】
2006006184.tif 000010
【図９】
2006006184.tif 000011
【図１０】
2006006184.tif 000012
【図１１】
2006006184.tif 000013
【図１２】
2006006184.tif 000014
【図１３】
2006006184.tif 000015
【図１４】
2006006184.tif 000016
【図１５】
2006006184.tif 000017